【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）内に前記エジェクタ（１４）が配置されることにより、前記蒸発器（１５、１８）と前記エジェクタ（１４）とが一体に組み付けられ、一体化ユニット（２０）を構成しており、
さらに、前記別のタンク（３４）には、その壁面を貫通する貫通穴（３４ａ、３４ｂ）が設けられ、前記貫通穴（３４ａ、３４ｂ）によって前記エジェクタ（１４）の冷媒通路が前記蒸発器（１５、１８）の前記タンク（１５ｂ、１５ｃ、１８ｂ、１８ｃ）の内部空間（２７、３２）と連通していることを特徴とするエジェクタ式冷凍サイクル用ユニット。
【請求項２】
前記蒸発器は、前記エジェクタ（１４）の前記冷媒吸引口（１４ｂ）に接続され、前記冷媒吸引口（１４ｂ）に吸引される冷媒を蒸発させる吸引側蒸発器（１８）であり、
前記吸引側蒸発器（１８）は、前記複数の冷媒通路が形成され前記冷媒吸引口（１４ｂ）に吸引される冷媒が前記複数の冷媒通路を通過する熱交換コア部（１８ａ）を有し、
前記貫通穴は、前記吸引側蒸発器（１８）の前記タンク（１８ｂ、１８ｃ）の内部空間のうち、前記熱交換コア部（１８ａ）の前記複数の冷媒通路の出口側に位置する内部空間（２７）と、前記冷媒吸引口（１４ｂ）とを連通する貫通穴（３４ｂ）であることを特徴とする請求項１に記載のエジェクタ式冷凍サイクル用ユニット。
【請求項３】
前記蒸発器は、前記エジェクタ（１４）の出口側（１４ｄ）に接続され、前記エジェクタ（１４）から吐出された冷媒を蒸発させる出口側蒸発器（１５）であり、
前記出口側蒸発器（１５）は、前記複数の冷媒通路が形成され前記エジェクタ（１４）から吐出された冷媒が前記複数の冷媒通路を通過する熱交換コア部（１５ａ）を有し、
前記貫通穴は、前記出口側蒸発器（１５）の前記タンク（１５ｂ、１５ｃ）の内部空間のうち、前記熱交換コア部（１５ａ）の前記複数の冷媒通路の入口側に位置する内部空間（３２）と、前記エジェクタ（１４）の出口側（１４ｄ）とを連通する貫通穴（３４ａ）であることを特徴とする請求項１に記載のエジェクタ式冷凍サイクル用ユニット。
【請求項４】
前記蒸発器は、前記エジェクタ（１４）の出口側（１４ｄ）に接続され、前記エジェクタ（１４）から吐出された冷媒を蒸発させる出口側蒸発器（１５）と、前記エジェクタ（１４）の前記冷媒吸引口（１４ｂ）に接続され、前記冷媒吸引口（１４ｂ）に吸引される冷媒を蒸発させる吸引側蒸発器（１８）であり、
前記出口側蒸発器（１５）は、前記複数の冷媒通路が形成され前記エジェクタ（１４）から吐出された冷媒が前記複数の冷媒通路を通過する熱交換コア部（１５ａ）を有し、
前記吸引側蒸発器（１８）は、前記複数の冷媒通路が形成され前記冷媒吸引口（１４ｂ）に吸引される冷媒が前記複数の冷媒通路を通過する熱交換コア部（１８ａ）を有し、
前記貫通穴として、
前記吸引側蒸発器（１８）の前記タンク（１８ｂ、１８ｃ）の内部空間のうち、前記熱交換コア部（１８ａ）の前記複数の冷媒通路の出口側に位置する内部空間（２７）と、前記冷媒吸引口（１４ｂ）とを連通する貫通穴（３４ｂ）、および
前記出口側蒸発器（１５）の前記タンク（１５ｂ、１５ｃ）の内部空間のうち、前記熱交換コア部（１５ａ）の前記複数の冷媒通路の入口側に位置する内部空間（３２）と、前記エジェクタ（１４）の出口側（１４ｄ）とを連通する貫通穴（３４ａ）が設けられていることを特徴とする請求項１に記載のエジェクタ式冷凍サイクル用ユニット。
【請求項５】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記蒸発器（１５、１８）の前記タンク（１５ｂ、１５ｃ、１８ｂ、１８ｃ）においてタンク長手方向から見た側面視で凹形状となる部位に、前記別のタンク（３４）が前記タンク長手方向に延びるように設けられ、
前記別のタンク（３４）内に前記エジェクタ（１４）が配置されることにより、前記蒸発器（１５、１８）と前記エジェクタ（１４）とが一体に組み付けられ、一体化ユニット（２０）を構成していることを特徴とするエジェクタ式冷凍サイクル用ユニット。
【請求項６】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）は、前記蒸発器（１５、１８）を通過する空気流れ方向から見ても、また、前記複数の冷媒通路を通過する冷媒の流れ方向から見ても、前記タンク（１５ｂ、１５ｃ、１８ｂ、１８ｃ）に対して重なり合うように設けられ、
前記別のタンク（３４）内に前記エジェクタ（１４）が配置されることにより、前記蒸発器（１５、１８）と前記エジェクタ（１４）とが一体に組み付けられ、一体化ユニット（２０）を構成していることを特徴とするエジェクタ式冷凍サイクル用ユニット。
【請求項７】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）内に前記エジェクタ（１４）が配置されることにより、前記蒸発器（１５、１８）と前記エジェクタ（１４）とが一体に組み付けられ、一体化ユニット（２０）を構成しており、
さらに、前記別のタンク（３４）の外壁面が前記蒸発器（１５、１８）の前記タンク（１５ｂ、１５ｃ、１８ｂ、１８ｃ）の内壁面となるように前記両タンク（３４）、（１５ｂ、１５ｃ、１８ｂ、１８ｃ）が形成されていることを特徴とするエジェクタ式冷凍サイクル用ユニット。
【請求項８】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）の出口側（１４ｄ）に接続され、前記エジェクタ（１４）から吐出された冷媒を空気流れと熱交換して蒸発させる出口側蒸発器（１５）と、
前記エジェクタ（１４）の前記冷媒吸引口（１４ｂ）に接続され、前記冷媒吸引口（１４ｂ）に吸引される冷媒を空気流れと熱交換して蒸発させる吸引側蒸発器（１８）とを備え、
前記出口側蒸発器（１５）及び前記吸引側蒸発器（１８）は、それぞれ、複数の冷媒通路に対する冷媒流れの分配または集合を行うタンク（１５ｂ、１５ｃ、１８ｂ、１８ｃ）を有しており、
前記出口側蒸発器（１５）のタンク（１５ｂ、１５ｃ）と前記吸引側蒸発器（１８）のタンク（１８ｂ、１８ｃ）は、前記空気流れの方向に並んで隣接配置され、
前記出口側蒸発器（１５）のタンク（１５ｂ、１５ｃ）と前記吸引側蒸発器（１８）のタンク（１８ｂ、１８ｃ）との間に、別のタンク（３４）が前記両タンク（１５ｂ、１５ｃ）、（１８ｂ、１８ｃ）により挟まれるように設けられ、
前記両タンク（１５ｂ、１５ｃ）、（１８ｂ、１８ｃ）及び前記別のタンク（３４）の長手方向は一致しており、
前記別のタンク（３４）内に前記エジェクタ（１４）が配置されることにより、前記両蒸発器（１５、１８）と前記エジェクタ（１４）とが一体に組み付けられ、一体化ユニット（２０）を構成していることを特徴とするエジェクタ式冷凍サイクル用ユニット。
【請求項９】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）は前記エジェクタ（１４）のみを収容する専用のタンクであって、前記別のタンク（３４）内に前記エジェクタ（１４）が配置されることにより、前記蒸発器（１５、１８）と前記エジェクタ（１４）とが一体に組み付けられ、一体化ユニット（２０）を構成していることを特徴とするエジェクタ式冷凍サイクル用ユニット。
【請求項１０】
前記別のタンク（３４）の断面形状が円形であることを特徴とする請求項１ないし９のいずれか１つに記載のエジェクタ式冷凍サイクル用ユニット。
【請求項１１】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）の出口側（１４ｄ）に接続され前記エジェクタ（１４）から吐出された冷媒を空気流れと熱交換して蒸発させる出口側蒸発器（１５）と、
前記冷媒吸引口（１４ｂ）に接続され、前記冷媒吸引口（１４ｂ）に吸引される冷媒を空気流れと熱交換して蒸発させる吸引側蒸発器（１８）とを備え、
前記出口側蒸発器（１５）および前記吸引側蒸発器（１８）は、それぞれ、複数の冷媒通路に対する冷媒流れの分配または集合を行うタンク（１５ｂ、１５ｃ、１８ｂ、１８ｃ）を有し、
前記出口側蒸発器（１５）のタンク（１５ｂ、１５ｃ）と前記吸引側蒸発器（１８）のタンク（１８ｂ、１８ｃ）は、前記空気流れの方向に並んで隣接配置され、
前記出口側蒸発器（１５）のタンク（１５ｂ、１５ｃ）および前記吸引側蒸発器（１８）のタンク（１８ｂ、１８ｃ）の両方にまたがって前記エジェクタ（１４）が配置されるとともに前記両タンク（１５ｂ、１５ｃ）、（１８ｂ、１８ｃ）と前記エジェクタ（１４）の長手方向が一致した状態で、前記両タンク（１５ｂ、１５ｃ）、（１８ｂ、１８ｃ）に前記エジェクタ（１４）が一体に組み付けられ、一体化ユニット（２０）を構成していることを特徴とするエジェクタ式冷凍サイクル用ユニット。
【請求項１２】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を空気流れと熱交換して蒸発させる蒸発器（１５、１８）とを備え、
前記蒸発器（１５、１８）は、前記冷媒が流れる複数の冷媒通路が形成された熱交換コア部（１５ａ、１８ａ）と、前記複数の冷媒通路に対する冷媒流れの分配または集合を行うタンク（１５ｂ、１５ｃ、１８ｂ、１８ｃ）とを有し、
前記熱交換コア部（１５ａ、１８ａ）は、前記空気流れの上流側に位置する空気上流側面と、前記空気流れの下流側に位置する空気下流側面と、前記空気上流側面および前記空気下流側面と直交する側面部とを有し、
前記エジェクタ（１４）の長手方向が前記熱交換コア部（１５ａ、１８ａ）の前記側面部の長手方向に一致した状態で、前記エジェクタ（１４）が前記熱交換コア部（１５ａ、１８ａ）の前記側面部に一体に組み付けられ、一体化ユニット（２０）を構成していることを特徴とするエジェクタ式冷凍サイクル用ユニット。
【請求項１３】
前記蒸発器は、前記エジェクタ（１４）の出口側（１４ｄ）に接続され、前記エジェクタ（１４）から吐出された冷媒を蒸発させる出口側蒸発器（１５）であり、
前記出口側蒸発器（１５）は、前記熱交換コア部（１５ａ）の前記側面部の長手方向が上下方向に延びるとともに前記熱交換コア部（１５ａ）の上側に前記タンク（１５ｂ）が位置しており、
前記エジェクタ（１４）の前記出口側（１４ｄ）が上側に位置し前記冷媒吸引口（１４ｂ）が前記出口側（１４ｄ）よりも下側に位置するようにして、前記エジェクタ（１４）の長手方向が前記熱交換コア部（１５ａ）の前記側面部にて上下方向に延びるようになっており、
前記エジェクタ（１４）の前記出口側（１４ｄ）が、前記出口側蒸発器（１５）の前記タンク（１５ｂ）の内部空間のうち冷媒分配用の内部空間（３１）に連通することを特徴とする請求項１２に記載のエジェクタ式冷凍サイクル用ユニット。
【請求項１４】
前記冷媒分配用の内部空間（３１）は、前記出口側蒸発器（１５）の前記タンク（１５ｂ）内に形成される冷媒集合用の内部空間（３２）よりも前記エジェクタ（１４）側に配置されていることを特徴とする請求項１３に記載のエジェクタ式冷凍サイクル用ユニット。
【請求項１５】
前記蒸発器は、前記冷媒吸引口（１４ｂ）に接続され、前記冷媒吸引口（１４ｂ）に吸引される冷媒を蒸発させる吸引側蒸発器（１８）であり、
前記吸引側蒸発器（１８）は、前記熱交換コア部（１８ａ）の前記側面部の長手方向が上下方向に延びるとともに前記熱交換コア部（１８ａ）の上側に前記タンク（１８ｂ）が位置しており、
前記エジェクタ（１４）の前記冷媒吸引口（１４ｂ）が上側に位置し前記エジェクタ（１４）の出口側（１４ｄ）が前記冷媒吸引口（１４ｂ）よりも下側に位置するようにして、前記エジェクタ（１４）の長手方向が前記熱交換コア部（１８ａ）の前記側面部にて上下方向に延びるようになっており、
前記エジェクタ（１４）の前記冷媒吸引口（１４ｂ）が、前記吸引側蒸発器（１８）の前記タンク（１８ｂ）の内部空間のうち冷媒集合用の内部空間（２７）に連通することを特徴とする請求項１２に記載のエジェクタ式冷凍サイクル用ユニット。
【請求項１６】
前記冷媒集合用の内部空間（２７）が、前記吸引側蒸発器（１８）の前記タンク（１８ｂ）内に形成される冷媒分配用の内部空間（２８）よりも前記エジェクタ（１４）側に配置されていることを特徴とする請求項１５に記載のエジェクタ式冷凍サイクル用ユニット。
【請求項１７】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を空気流れと熱交換して蒸発させる蒸発器（１５、１８）とを備え、
前記蒸発器（１５、１８）は、前記冷媒が流れる複数の冷媒通路が形成された熱交換コア部（１５ａ、１８ａ）と、前記複数の冷媒通路に対する冷媒流れの分配または集合を行うタンク（１５ｂ、１５ｃ、１８ｂ、１８ｃ）とを有し、
前記熱交換コア部（１５ａ、１８ａ）は、前記空気流れの上流側に位置する空気上流側面と、前記空気流れの下流側に位置する空気下流側面と、前記空気上流側面および前記空気下流側面と直交する側面部とを有し、
さらに、前記熱交換コア部（１５ａ、１８ａ）の前記側面部に装着される外付きカセット部（３６）を有し、
前記外付きカセット部（３６）内に前記エジェクタ（１４）が配置された状態にて前記蒸発器（１５、１８）と前記エジェクタ（１４）とが一体に組み付けられ、一体化ユニット（２０）を構成していることを特徴とするエジェクタ式冷凍サイクル用ユニット。
【請求項１８】
ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）の外部に装着される外付きカセット部（３６）を有し、
前記外付きカセット部（３６）内に前記エジェクタ（１４）が配置された状態にて前記蒸発器（１５、１８）と前記エジェクタ（１４）とが一体に組み付けられ、一体化ユニット（２０）を構成しており、
さらに、前記外付きカセット部（３６）は、前記エジェクタ（１４）を収容するケース（３７、３８）を有し、
前記ケース（３７、３８）には、前記冷媒吸引口（１４ｂ）と連通する第１の連通穴（３８ａ、３７ｂ）と、前記エジェクタ（１４）の出口側（１４ｄ）と連通する第２の連通穴（３７ａ、３８ｂ）とが設けられ、
前記第１の連通穴（３８ａ、３７ｂ）及び前記第２の連通穴（３７ａ、３８ｂ）が、前記ケース（３７、３８）のうち、前記蒸発器（１５、１８）側に位置する同一側面に配置されていることを特徴とするエジェクタ式冷凍サイクル用ユニット。
【手続補正２】
【補正対象書類名】明細書
【補正対象項目名】０００９
【補正方法】変更
【補正の内容】
【０００９】
本発明は上記目的を達成するためになされたもので、請求項１に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）内に前記エジェクタ（１４）が配置されることにより、前記蒸発器（１５、１８）と前記エジェクタ（１４）とが一体に組み付けられ、一体化ユニット（２０）を構成しており、
さらに、前記別のタンク（３４）には、その壁面を貫通する貫通穴（３４ａ、３４ｂ）が設けられ、前記貫通穴（３４ａ、３４ｂ）によって前記エジェクタ（１４）の冷媒通路が前記蒸発器（１５、１８）の前記タンク（１５ｂ、１５ｃ、１８ｂ、１８ｃ）の内部空間（２７、３２）と連通しているエジェクタ式冷凍サイクル用ユニットを特徴とする。
【手続補正３】
【補正対象書類名】明細書
【補正対象項目名】００１０
【補正方法】変更
【補正の内容】
【００１０】
これによると、エジェクタ（１４）と少なくとも１つの蒸発器（１５、１８）とを含む一体化ユニット（２０）全体を一体物として取り扱うことができる。そのため、エジェクタ式冷凍サイクルを車両等の適用対象に搭載する際の搭載作業を非常に効率よく行うことができる。
しかも、別のタンク（３４）の壁面を貫通する貫通穴（３４ａ、３４ｂ）によってエジェクタ（１４）の冷媒通路と蒸発器（１５、１８）のタンク（１５ｂ、１５ｃ、１８ｂ、１８ｃ）の内部空間（２７、３２）とを接続配管なしで直接接続できる。
【手続補正４】
【補正対象書類名】明細書
【補正対象項目名】００１１
【補正方法】変更
【補正の内容】
【００１１】
また、一体化ユニット（２０）を構成して各部接続通路長さを短縮することにより、冷媒通路の圧損低減、コストダウンおよび搭載スペースの小型化を図ることもできる。
【手続補正５】
【補正対象書類名】明細書
【補正対象項目名】００１３
【補正方法】変更
【補正の内容】
【００１３】
請求項２に記載の発明では、請求項１に記載のエジェクタ式冷凍サイクル用ユニットにおいて、前記蒸発器は具体的には前記エジェクタの前記冷媒吸引口（１４ｂ）に接続される吸引側蒸発器（１８）であり、
前記吸引側蒸発器（１８）は、前記複数の冷媒通路が形成され前記冷媒吸引口（１４ｂ）に吸引される冷媒が前記複数の冷媒通路を通過する熱交換コア部（１８ａ）を有し、
前記貫通穴は、前記吸引側蒸発器（１８）の前記タンク（１８ｂ、１８ｃ）の内部空間のうち、前記熱交換コア部（１８ａ）の前記複数の冷媒通路の出口側に位置する内部空間（２７）と、前記冷媒吸引口（１４ｂ）とを連通する貫通穴（３４ｂ）であることを特徴とする。
【手続補正６】
【補正対象書類名】明細書
【補正対象項目名】００１４
【補正方法】変更
【補正の内容】
【００１４】
これによると、吸引側蒸発器（１８）の熱交換コア部（１８ａ）の冷媒通路の出口側に位置するタンク内部空間（２７）とエジェクタ（１４）の冷媒吸引口（１４ｂ）とを貫通穴（３４ｂ）によって直接接続することができる。
また、一体化ユニット（２０）を構成して吸引側蒸発器（１８）の冷媒通路の出口側と冷媒吸引口（１４ｂ）との間の通路長さを短縮できるので、吸引側蒸発器（１８）出口側の圧損を低減できる。これにより、蒸発器（１８）の蒸発圧力を引き下げて蒸発器（１８）の冷却性能を向上できる。
【手続補正７】
【補正対象書類名】明細書
【補正対象項目名】００１５
【補正方法】変更
【補正の内容】
【００１５】
請求項３に記載の発明では、請求項１に記載のエジェクタ式冷凍サイクル用ユニットにおいて、前記蒸発器は、前記エジェクタ（１４）の出口側（１４ｄ）に接続され、前記エジェクタ（１４）から吐出された冷媒を蒸発させる出口側蒸発器（１５）であり、
前記出口側蒸発器（１５）は、前記複数の冷媒通路が形成され前記エジェクタ（１４）から吐出された冷媒が前記複数の冷媒通路を通過する熱交換コア部（１５ａ）を有し、
前記貫通穴は、前記出口側蒸発器（１５）の前記タンク（１５ｂ、１５ｃ）の内部空間のうち、前記熱交換コア部（１５ａ）の前記複数の冷媒通路の入口側に位置する内部空間（３２）と、前記エジェクタ（１４）の出口側（１４ｄ）とを連通する貫通穴（３４ａ）であることを特徴とする。
これによると、出口側蒸発器（１５）の熱交換コア部（１５ａ）の複数の冷媒通路の入口側に位置するタンク内部空間（３２）と、エジェクタ（１４）の出口側（１４ｄ）とを貫通穴（３４ａ）によって直接接続することができるとともに、エジェクタ（１４）の出口側（１４ｄ）と出口側蒸発器（１５）の冷媒通路の入口側との間の圧損を低減できる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項４に記載の発明では、請求項１に記載のエジェクタ式冷凍サイクル用ユニットにおいて、前記蒸発器は、前記エジェクタ（１４）の出口側（１４ｄ）に接続され、前記エジェクタ（１４）から吐出された冷媒を蒸発させる出口側蒸発器（１５）と、前記エジェクタ（１４）の前記冷媒吸引口（１４ｂ）に接続され、前記冷媒吸引口（１４ｂ）に吸引される冷媒を蒸発させる吸引側蒸発器（１８）であり、
前記出口側蒸発器（１５）は、前記複数の冷媒通路が形成され前記エジェクタ（１４）から吐出された冷媒が前記複数の冷媒通路を通過する熱交換コア部（１５ａ）を有し、
前記吸引側蒸発器（１８）は、前記複数の冷媒通路が形成され前記冷媒吸引口（１４ｂ）に吸引される冷媒が前記複数の冷媒通路を通過する熱交換コア部（１８ａ）を有し、
前記貫通穴として、
前記吸引側蒸発器（１８）の前記タンク（１８ｂ、１８ｃ）の内部空間のうち、前記熱交換コア部（１８ａ）の前記複数の冷媒通路の出口側に位置する内部空間（２７）と、前記冷媒吸引口（１４ｂ）とを連通する貫通穴（３４ｂ）、および
前記出口側蒸発器（１５）の前記タンク（１５ｂ、１５ｃ）の内部空間のうち、前記熱交換コア部（１５ａ）の前記複数の冷媒通路の入口側に位置する内部空間（３２）と、前記エジェクタ（１４）の出口側（１４ｄ）とを連通する貫通穴（３４ａ）が設けられていることを特徴とする。
【手続補正１０】
【補正対象書類名】明細書
【補正対象項目名】００１８
【補正方法】変更
【補正の内容】
【００１８】
これによると、エジェクタ出口側とエジェクタ吸引側の２つの蒸発器（１５）（１８）の組み合わせにて冷却性能を発揮できるとともに、出口側蒸発器（１５）および吸引側蒸発器（１８）を含めた一体化ユニット（２０）を構成でき、搭載作業性の向上等の効果を発揮できる。
【手続補正１１】
【補正対象書類名】明細書
【補正対象項目名】００１９
【補正方法】変更
【補正の内容】
【００１９】
特に、請求項４に記載の発明によれば、一体化対象の機器数を増加して、搭載作業性の向上、搭載スペースの小型化、コストダウン等の効果をより有効に発揮できる。また、前述した請求項２及び請求項３に記載の発明と同様に、冷媒通路の圧損低減を図ることができる。
【手続補正１２】
【補正対象書類名】明細書
【補正対象項目名】００２０
【補正方法】変更
【補正の内容】
【００２０】
請求項５に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記蒸発器（１５、１８）の前記タンク（１５ｂ、１５ｃ、１８ｂ、１８ｃ）においてタンク長手方向から見た側面視で凹形状となる部位に、前記別のタンク（３４）が前記タンク長手方向に延びるように設けられ、
前記別のタンク（３４）内に前記エジェクタ（１４）が配置されることにより、前記蒸発器（１５、１８）と前記エジェクタ（１４）とが一体に組み付けられ、一体化ユニット（２０）を構成しているエジェクタ式冷凍サイクル用ユニットを特徴とする。
また、請求項６に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）は、前記蒸発器（１５、１８）を通過する空気流れ方向から見ても、また、前記複数の冷媒通路を通過する冷媒の流れ方向から見ても、前記タンク（１５ｂ、１５ｃ、１８ｂ、１８ｃ）に対して重なり合うように設けられ、
前記別のタンク（３４）内に前記エジェクタ（１４）が配置されることにより、前記蒸発器（１５、１８）と前記エジェクタ（１４）とが一体に組み付けられ、一体化ユニット（２０）を構成しているエジェクタ式冷凍サイクル用ユニットを特徴とする。
【手続補正１３】
【補正対象書類名】明細書
【補正対象項目名】００２１
【補正方法】変更
【補正の内容】
【００２１】
請求項５に記載の発明によると、蒸発器（１５、１８）のタンク（１５ｂ、１５ｃ、１８ｂ、１８ｃ）における凹形状部位に、別のタンク（３４）をタンク長手方向に延びるように設けている。
そして、請求項６に記載の発明によると、蒸発器（１５、１８）のタンク（１５ｂ、１５ｃ、１８ｂ、１８ｃ）に対して、別のタンク（３４）を蒸発器の空気流れ方向から見ても、また、蒸発器の複数の冷媒通路を通過する冷媒の流れ方向から見ても重なり合うように設けている。
請求項５および請求項６に記載の発明では、上記別のタンク（３４）内にエジェクタ（１４）を配置して、エジェクタ（１４）と少なくとも１つの蒸発器（１５、１８）とを含む一体化ユニット（２０）を構成している。
この一体化ユニット（２０）全体を一体物として取り扱うことができるので、エジェクタ式冷凍サイクルを車両等の適用対象に搭載する際の搭載作業を非常に効率よく行うことができる。
また、一体化ユニット（２０）を構成して各部接続通路長さを短縮することにより、冷媒通路の圧損低減、コストダウンおよび搭載スペースの小型化を図ることもできる。
【手続補正１４】
【補正対象書類名】明細書
【補正対象項目名】００２２
【補正方法】変更
【補正の内容】
【００２２】
請求項７に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）内に前記エジェクタ（１４）が配置されることにより、前記蒸発器（１５、１８）と前記エジェクタ（１４）とが一体に組み付けられ、一体化ユニット（２０）を構成しており、
さらに、前記別のタンク（３４）の外壁面が前記蒸発器（１５、１８）の前記タンク（１５ｂ、１５ｃ、１８ｂ、１８ｃ）の内壁面となるように前記両タンク（３４）、（１５ｂ、１５ｃ、１８ｂ、１８ｃ）が形成されているエジェクタ式冷凍サイクル用ユニットを特徴とする。
【手続補正１５】
【補正対象書類名】明細書
【補正対象項目名】００２３
【補正方法】変更
【補正の内容】
【００２３】
これによると、一体化ユニット（２０）を構成するに際して、別のタンク（３４）の外壁面が蒸発器（１５、１８）のタンク（１５ｂ、１５ｃ、１８ｂ、１８ｃ）の内壁面となっており、このようなタンク構成を持つ一体化ユニット（２０）全体を一体物として取り扱うことができる。そのため、エジェクタ式冷凍サイクルを車両等の適用対象に搭載する際の搭載作業を非常に効率よく行うことができる。
また、一体化ユニット（２０）を構成して各部接続通路長さを短縮することにより、冷媒通路の圧損低減、コストダウンおよび搭載スペースの小型化を図ることもできる。
【手続補正１６】
【補正対象書類名】明細書
【補正対象項目名】００２４
【補正方法】変更
【補正の内容】
【００２４】
請求項８に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）の出口側（１４ｄ）に接続され、前記エジェクタ（１４）から吐出された冷媒を空気流れと熱交換して蒸発させる出口側蒸発器（１５）と、
前記エジェクタ（１４）の前記冷媒吸引口（１４ｂ）に接続され、前記冷媒吸引口（１４ｂ）に吸引される冷媒を空気流れと熱交換して蒸発させる吸引側蒸発器（１８）とを備え、
前記出口側蒸発器（１５）及び前記吸引側蒸発器（１８）は、それぞれ、複数の冷媒通路に対する冷媒流れの分配または集合を行うタンク（１５ｂ、１５ｃ、１８ｂ、１８ｃ）を有しており、
前記出口側蒸発器（１５）のタンク（１５ｂ、１５ｃ）と前記吸引側蒸発器（１８）のタンク（１８ｂ、１８ｃ）は、前記空気流れの方向に並んで隣接配置され、
前記出口側蒸発器（１５）のタンク（１５ｂ、１５ｃ）と前記吸引側蒸発器（１８）のタンク（１８ｂ、１８ｃ）との間に、別のタンク（３４）が前記両タンク（１５ｂ、１５ｃ）、（１８ｂ、１８ｃ）により挟まれるように設けられ、
前記両タンク（１５ｂ、１５ｃ）、（１８ｂ、１８ｃ）及び前記別のタンク（３４）の長手方向は一致しており、
前記別のタンク（３４）内に前記エジェクタ（１４）が配置されることにより、前記両蒸発器（１５、１８）と前記エジェクタ（１４）とが一体に組み付けられ、一体化ユニット（２０）を構成しているエジェクタ式冷凍サイクル用ユニットを特徴とする。
【手続補正１７】
【補正対象書類名】明細書
【補正対象項目名】００２５
【補正方法】変更
【補正の内容】
【００２５】
これによると、出口側蒸発器（１５）のタンク（１５ｂ、１５ｃ）と吸引側蒸発器（１８）のタンク（１８ｂ、１８ｃ）とにより別のタンク（３４）が挟まれるように設けられ、この別のタンク（３４）内にエジェクタ（１４）を配置して、両蒸発器（１５、１８）とエジェクタ（１４）とを一体に組み付けることにより、エジェクタ出口側とエジェクタ吸引側の２つの蒸発器（１５）（１８）の組み合わせにて冷却性能を発揮できるとともに、出口側蒸発器（１５）および吸引側蒸発器（１８）を含めた一体化ユニット（２０）を構成でき、搭載作業性の向上等の効果をより有効に発揮できる。
【手続補正１８】
【補正対象書類名】明細書
【補正対象項目名】００２６
【補正方法】変更
【補正の内容】
【００２６】
請求項９に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）は、複数の冷媒通路に対する冷媒流れの分配または集合を行うタンク（１５ｂ、１５ｃ、１８ｂ、１８ｃ）と、前記タンク（１５ｂ、１５ｃ、１８ｂ、１８ｃ）とは別のタンク（３４）を有しており、
前記別のタンク（３４）は前記エジェクタ（１４）のみを収容する専用のタンクであって、前記別のタンク（３４）内に前記エジェクタ（１４）が配置されることにより、前記蒸発器（１５、１８）と前記エジェクタ（１４）とが一体に組み付けられ、一体化ユニット（２０）を構成しているエジェクタ式冷凍サイクル用ユニットを特徴とする。
【手続補正１９】
【補正対象書類名】明細書
【補正対象項目名】００２７
【補正方法】変更
【補正の内容】
【００２７】
これによると、別のタンク（３４）としてエジェクタ（１４）のみを収容する専用のタンク（３４）を用いて、一体化ユニット（２０）を構成することにより、エジェクタ（１４）と少なくとも１つの蒸発器（１５、１８）とを含む一体化ユニット（２０）全体を一体物として取り扱うことができる。そのため、エジェクタ式冷凍サイクルを車両等の適用対象に搭載する際の搭載作業を非常に効率よく行うことができる。
また、一体化ユニット（２０）を構成して各部接続通路長さを短縮することにより、冷媒通路の圧損低減、コストダウンおよび搭載スペースの小型化を図ることもできる。
請求項１０に記載の発明のように、請求項１ないし９のいずれか１つに記載のエジェクタ式冷凍サイクル用ユニットにおいて、前記別のタンク（３４）の断面形状は具体的には円形である。
【手続補正２０】
【補正対象書類名】明細書
【補正対象項目名】００２８
【補正方法】変更
【補正の内容】
【００２８】
請求項１１に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）の出口側（１４ｄ）に接続され前記エジェクタ（１４）から吐出された冷媒を空気流れと熱交換して蒸発させる出口側蒸発器（１５）と、
前記冷媒吸引口（１４ｂ）に接続され、前記冷媒吸引口（１４ｂ）に吸引される冷媒を空気流れと熱交換して蒸発させる吸引側蒸発器（１８）とを備え、
前記出口側蒸発器（１５）および前記吸引側蒸発器（１８）は、それぞれ、複数の冷媒通路に対する冷媒流れの分配または集合を行うタンク（１５ｂ、１５ｃ、１８ｂ、１８ｃ）を有し、
前記出口側蒸発器（１５）のタンク（１５ｂ、１５ｃ）と前記吸引側蒸発器（１８）のタンク（１８ｂ、１８ｃ）は、前記空気流れの方向に並んで隣接配置され、
前記出口側蒸発器（１５）のタンク（１５ｂ、１５ｃ）および前記吸引側蒸発器（１８）のタンク（１８ｂ、１８ｃ）の両方にまたがって前記エジェクタ（１４）が配置されるとともに前記両タンク（１５ｂ、１５ｃ）、（１８ｂ、１８ｃ）と前記エジェクタ（１４）の長手方向が一致した状態で、前記両タンク（１５ｂ、１５ｃ）、（１８ｂ、１８ｃ）に前記エジェクタ（１４）が一体に組み付けられ、一体化ユニット（２０）を構成しているエジェクタ式冷凍サイクル用ユニットを特徴とする。
【手続補正２１】
【補正対象書類名】明細書
【補正対象項目名】００２９
【補正方法】変更
【補正の内容】
【００２９】
これによると、出口側蒸発器（１５）のタンク（１５ｂ、１５ｃ）と吸引側蒸発器（１８）のタンク（１８ｂ、１８ｃ）とを、空気流れの方向に並んで隣接配置し、この出口側蒸発器（１５）のタンク（１５ｂ、１５ｃ）および吸引側蒸発器（１８）のタンク（１８ｂ、１８ｃ）の両方にまたがってエジェクタ（１４）を配置して、一体化ユニット（２０）を構成している。
このため、エジェクタ出口側とエジェクタ吸引側の２つの蒸発器（１５）（１８）の組み合わせにて冷却性能を発揮できるとともに、出口側蒸発器（１５）および吸引側蒸発器（１８）を含めた一体化ユニット（２０）を構成でき、搭載作業性の向上等の効果をより有効に発揮できる。
【手続補正２２】
【補正対象書類名】明細書
【補正対象項目名】００３０
【補正方法】変更
【補正の内容】
【００３０】
請求項１２に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を空気流れと熱交換して蒸発させる蒸発器（１５、１８）とを備え、
前記蒸発器（１５、１８）は、前記冷媒が流れる複数の冷媒通路が形成された熱交換コア部（１５ａ、１８ａ）と、前記複数の冷媒通路に対する冷媒流れの分配または集合を行うタンク（１５ｂ、１５ｃ、１８ｂ、１８ｃ）とを有し、
前記熱交換コア部（１５ａ、１８ａ）は、前記空気流れの上流側に位置する空気上流側面と、前記空気流れの下流側に位置する空気下流側面と、前記空気上流側面および前記空気下流側面と直交する側面部とを有し、
前記エジェクタ（１４）の長手方向が前記熱交換コア部（１５ａ、１８ａ）の前記側面部の長手方向に一致した状態で、前記エジェクタ（１４）が前記熱交換コア部（１５ａ、１８ａ）の前記側面部に一体に組み付けられ、一体化ユニット（２０）を構成しているエジェクタ式冷凍サイクル用ユニットを特徴とする。
これによると、エジェクタ（１４）の長手方向を蒸発器の熱交換コア部（１５ａ、１８ａ）の側面部の長手方向に一致した状態で、エジェクタ（１４）を熱交換コア部（１５ａ、１８ａ）の側面部に一体に組み付けて、一体化ユニット（２０）を構成している。
これにより、エジェクタ（１４）と少なくとも１つの蒸発器（１５、１８）とを含む一体化ユニット（２０）全体を一体物として取り扱うことができる。そのため、エジェクタ式冷凍サイクルを車両等の適用対象に搭載する際の搭載作業を非常に効率よく行うことができる。
また、一体化ユニット（２０）を構成して各部接続通路長さを短縮することにより、冷媒通路の圧損低減、コストダウンおよび搭載スペースの小型化を図ることもできる。
【手続補正２３】
【補正対象書類名】明細書
【補正対象項目名】００３１
【補正方法】変更
【補正の内容】
【００３１】
請求項１３に記載の発明では、請求項１２に記載のエジェクタ式冷凍サイクル用ユニットにおいて、前記蒸発器は、前記エジェクタ（１４）の出口側（１４ｄ）に接続され、前記エジェクタ（１４）から吐出された冷媒を蒸発させる出口側蒸発器（１５）であり、
前記出口側蒸発器（１５）は、前記熱交換コア部（１５ａ）の前記側面部の長手方向が上下方向に延びるとともに前記熱交換コア部（１５ａ）の上側に前記タンク（１５ｂ）が位置しており、
前記エジェクタ（１４）の前記出口側（１４ｄ）が上側に位置し前記冷媒吸引口（１４ｂ）が前記出口側（１４ｄ）よりも下側に位置するようにして、前記エジェクタ（１４）の長手方向が前記熱交換コア部（１５ａ）の前記側面部にて上下方向に延びるようになっており、
前記エジェクタ（１４）の前記出口側（１４ｄ）が、前記出口側蒸発器（１５）の前記タンク（１５ｂ）の内部空間のうち冷媒分配用の内部空間（３１）に連通することを特徴とする。
請求項１４に記載の発明では、請求項１３に記載のエジェクタ式冷凍サイクル用ユニットにおいて、前記冷媒分配用の内部空間（３１）は、前記出口側蒸発器（１５）の前記タンク（１５ｂ）内に形成される冷媒集合用の内部空間（３２）よりも前記エジェクタ（１４）側に配置されていることを特徴とする。
請求項１５に記載の発明では、請求項１２に記載のエジェクタ式冷凍サイクル用ユニットにおいて、前記蒸発器は、前記冷媒吸引口（１４ｂ）に接続され、前記冷媒吸引口（１４ｂ）に吸引される冷媒を蒸発させる吸引側蒸発器（１８）であり、
前記吸引側蒸発器（１８）は、前記熱交換コア部（１８ａ）の前記側面部の長手方向が上下方向に延びるとともに前記熱交換コア部（１８ａ）の上側に前記タンク（１８ｂ）が位置しており、
前記エジェクタ（１４）の前記冷媒吸引口（１４ｂ）が上側に位置し前記エジェクタ（１４）の出口側（１４ｄ）が前記冷媒吸引口（１４ｂ）よりも下側に位置するようにして、前記エジェクタ（１４）の長手方向が前記熱交換コア部（１８ａ）の前記側面部にて上下方向に延びるようになっており、
前記エジェクタ（１４）の前記冷媒吸引口（１４ｂ）が、前記吸引側蒸発器（１８）の前記タンク（１８ｂ）の内部空間のうち冷媒集合用の内部空間（２７）に連通することを特徴とする。
請求項１６に記載の発明では、請求項１５に記載のエジェクタ式冷凍サイクル用ユニットにおいて、前記冷媒集合用の内部空間（２７）が、前記吸引側蒸発器（１８）の前記タンク（１８ｂ）内に形成される冷媒分配用の内部空間（２８）よりも前記エジェクタ（１４）側に配置されていることを特徴とする。
請求項１７に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を空気流れと熱交換して蒸発させる蒸発器（１５、１８）とを備え、
前記蒸発器（１５、１８）は、前記冷媒が流れる複数の冷媒通路が形成された熱交換コア部（１５ａ、１８ａ）と、前記複数の冷媒通路に対する冷媒流れの分配または集合を行うタンク（１５ｂ、１５ｃ、１８ｂ、１８ｃ）とを有し、
前記熱交換コア部（１５ａ、１８ａ）は、前記空気流れの上流側に位置する空気上流側面と、前記空気流れの下流側に位置する空気下流側面と、前記空気上流側面および前記空気下流側面と直交する側面部とを有し、
さらに、前記熱交換コア部（１５ａ、１８ａ）の前記側面部に装着される外付きカセット部（３６）を有し、
前記外付きカセット部（３６）内に前記エジェクタ（１４）が配置された状態にて前記蒸発器（１５、１８）と前記エジェクタ（１４）とが一体に組み付けられ、一体化ユニット（２０）を構成しているエジェクタ式冷凍サイクル用ユニットを特徴とする。
【手続補正２４】
【補正対象書類名】明細書
【補正対象項目名】００３２
【補正方法】変更
【補正の内容】
【００３２】
請求項１７に記載の発明によると、蒸発器熱交換コア部（１５ａ、１８ａ）の側面部に装着される外付きカセット部（３６）内にエジェクタ（１４）を配置することで、蒸発器（１５、１８）とエジェクタ（１４）とを一体に組み付けている。このため、エジェクタ（１４）を蒸発器タンク（１８ｂ）内に配置するための改造を蒸発器側に行う必要がない。そのため、既存の蒸発器構造を利用して本発明の一体化ユニット（２０）を簡単に構成できる。
【手続補正２５】
【補正対象書類名】明細書
【補正対象項目名】００３３
【補正方法】変更
【補正の内容】
【００３３】
請求項１８に記載の発明では、ノズル部（１４ａ）から噴射される高い速度の冷媒流により冷媒吸引口（１４ｂ）から冷媒を吸引し、前記ノズル部（１４ａ）から噴射された冷媒と前記冷媒吸引口（１４ｂ）から吸引された冷媒とを混合して吐出するエジェクタ（１４）と、
前記エジェクタ（１４）に吸引される冷媒または前記エジェクタ（１４）から吐出された冷媒を蒸発させる蒸発器（１５、１８）とを備え、
前記蒸発器（１５、１８）の外部に装着される外付きカセット部（３６）を有し、
前記外付きカセット部（３６）内に前記エジェクタ（１４）が配置された状態にて前記蒸発器（１５、１８）と前記エジェクタ（１４）とが一体に組み付けられ、一体化ユニット（２０）を構成しており、
さらに、前記外付きカセット部（３６）は、前記エジェクタ（１４）を収容するケース（３７、３８）を有し、
前記ケース（３７、３８）には、前記冷媒吸引口（１４ｂ）と連通する第１の連通穴（３８ａ、３７ｂ）と、前記エジェクタ（１４）の出口側（１４ｄ）と連通する第２の連通穴（３７ａ、３８ｂ）とが設けられ、
前記第１の連通穴（３８ａ、３７ｂ）及び前記第２の連通穴（３７ａ、３８ｂ）が、前記ケース（３７、３８）のうち、前記蒸発器（１５、１８）側に位置する同一側面に配置されているエジェクタ式冷凍サイクル用ユニットを特徴とする。
【手続補正２６】
【補正対象書類名】明細書
【補正対象項目名】００３４
【補正方法】変更
【補正の内容】
【００３４】
請求項１８に記載の発明によると、蒸発器外部に装着される外付きカセット部（３６）内にエジェクタ（１４）を配置することで、蒸発器（１５、１８）とエジェクタ（１４）とを一体に組み付けている。このため、エジェクタ（１４）を蒸発器タンク（１８ｂ）内に配置するための改造を蒸発器側に行う必要がない。その結果、既存の蒸発器構造を利用して本発明の一体化ユニット（２０）を簡単に構成できる。
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】